(57)【要約】 【課題】  本発明は、河川の流力を受けて回転する発電用等の水車に対して、これに向って流れてくるゴミを事前に排除させるようにした水車に対するゴミ流入排除装置に関する。【解決手段】      河川の水中に位置させることにより、流れに基づく水圧を受けて水車を回転させて発電作用を奏させるようにした発電用水車であって、カバーを当該発電用水車の取水側開口部に被せることに依って、水中に浮遊する細かいゴミに対する吸込みを阻止させるように構成した発電用水車を実施対象とし、ゴミ排除用体を、上記カバーの先端に、起伏可能にしてかつ元状復帰可能に取付けたことを特徴とする水車に対するゴミ流入排除装置。【選択図】  図１
2015218649.tif 000002
【特許請求の範囲】
【請求項１】
河川の水中に位置させることにより、流れに基づく水圧を受けて水車を回転させて発電作用を奏させるようにした発電用水車であって、ゴミ通過阻止用カバーを当該発電用水車の取水側開口部に被せることに依って、水中に浮遊する細かいゴミに対する吸込みを阻止させるように構成した発電用水車を実施対象とし、ゴミ排除用体を、上記カバーの先端に、起伏可能にしてかつ元状復帰可能に取付けたことを特徴とする水車に対するゴミ流入排除装置。
【発明の詳細な説明】
【技術分野】
【０００１】
本発明は、河川の流力を受けて回転する発電用等の水車に対して、これに向って流れてくるゴミを事前に排除させるようにした水車に対するゴミ流入排除装置に関する。
【背景技術】
【０００２】
従来、河川等に設置し、その流力を利用して水車を回転させ、同回転力に基づき発電を生じさせるようにした発電用水車は存在する（例えば、特許文献１参照。）。  そして、この種の水車に於いて、水中のゴミ等を吸い込まないようにするために、図１に示すように、その取水口側に先細円錐状を呈するゴミ通過阻止用カバーＭを被せることによって、ゴミの吸込みを防止する様に構成したものがある。
【先行技術文献】
【特許文献】
【０００３】
【特許文献１】特開２０１３−２３４６４５号公報
【発明の概要】
【発明が解決しようとする課題】
【０００４】
上記したようなカバーＭを用いたものであると、細かいゴミによる目詰まりに対しては、定期的な清掃作業で対応可能とする。  然し乍、大きなゴミが引っかかった際には瞬時に取水に齟齬をきたしてしまい、機能不良が生じてしまうこととなる。  このような場合、緊急的清掃処理を行わなければならず、そのために水車の保守管理には継続的な監視作業と、臨時的清掃作業の体制を確立しておかなければならず、従って、水車の保守作業の経済的負担性が著しく伴うことを余儀なくされた。
【０００５】
本発明はこのような従来の問題の解消化を果たすように構成した水車に対する新規のゴミ流入排除装置の提供を図ったものである。
【課題を解決するための手段】
【０００６】
本発明は、  河川の水中に位置させることにより、流れに基づく水圧を受けて水車を回転させて発電作用を奏させるようにした発電用水車であって、ゴミ通過阻止用カバーを当該発電用水車の取水側開口部に被せることに依って、水中に浮遊する細かいゴミに対する吸込みを阻止させるように構成した発電用水車を実施対象とし、ゴミ排除用体を、上記ネット製カバーの先端に、起伏可能にしてかつ元状復帰可能に取付けたことを特徴とする水車に対するゴミ流入排除装置に係る。
【発明の効果】
【０００７】
本発明は、先細三角形状を呈するゴミ排除用体２を、既存のゴミ通過阻止用カバーＭの先端に、起伏可能にしてかつ元状復帰可能に取付けたから、例えば、木の枝、木の葉、海藻、シート状ビニール片等、比較的大きなゴミがゴミ排除用体２に引っかかった際、水流抵抗の増加に基づき、図３に示す状態、並びに図４の鎖線で示す状態に首振り的な屈折をなすこととなる。  このような転動的な回動転移に基づき、上記ゴミは、今度は水流圧力により引き剥がされる力として作用する位置に移動するため、水流により自然に引き剥がされると共に、ゴミ通過阻止用カバーＭの外側に移動させるような流れ的案内が成されることとなる。  従って、当該ゴミがカバーＭに被さって機能不良を来してしまうような事態発生を未然に回避させる。
【図面の簡単な説明】
【０００８】
【図１】本発明の取付け状態を表した説明用側面図である。
【図２】本発明の要部を表した説明用側面図である。
【図３】同上作動状態を表した説明用側面図である。
【図４】同上説明用平面図である。
【発明を実施するための形態】
【０００９】
図において、Ｓはドラム体Ａの内部に水車Ｂを収装して成る既存の発電用水車であって、河川の水中に位置させることにより、流れに基づく水圧を受けて水車Ｂを回転させて発電作用を奏させるものである。  このような形式の発電用水車Ｓは公知の技術に属し、多数個を並列状に位置させて設置し、河川の水位に基づき浮力に基づき自動的なる水位保持がなされるように構成してある。
【００１０】
Ｍはゴミ通過阻止用カバーであって、上記した発電用水車Ｓの取水側開口部に被せることに依って、水中に浮遊する細かいゴミに対する吸込みを阻止させるためのものである。  そして、当該カバーＭは定期的な清掃作業を施すことに依り、ゴミによる目詰まりを解消するような管理体制を採るものである。  なお、図示の実施例にあっては、当該カバーＭとして先細円錐形状を呈するのとしてあるが、このような形状に限定されるものではなく、発電用水車Ｓの取水側開口部をカバーしてゴミ等の吸込みを阻止可能とするものであれば如何なる形態であっても可とする。  但し、後述するゴミ排除用網体２の取付けが可能とする形態を具えたものとする。  そのためには、前方に斜状に突出するような形態、例えば図示のような先細円錐形状のような流線型状とすることが望ましい。  そして、当該カバーＭは図示のような網状のもの以外、細い鉄棒で格子状或いは簀子状に組んだものであっても良い。  
【００１１】
本発明は上記したようなゴミ通過阻止用カバーＭを具えた発電用水車Ｓを実施対象とするゴミ排除装置に関するものであり、下記するような構成を具えている。
【００１２】
１は上記したゴミ通過阻止用カバーＭの先端に固定化するための取付け具であって、先細三角形状を呈するゴミ排除用体２を、その基端側中心部で左右方向に起伏自在とするように取付けられている。  なお、図示の実施例にあっては、左右方向に起伏自在とするように構成してあるが、例えば自在継手金具を用いることに依り、上下若しくは左右方向、或いは無指向的な全方向に起伏自在とするように構成しても良い。  更に、上記ゴミ排除用体２は図示のような網状のもの以外、細い鉄棒で格子状或いは簀子状に組んだものであっても良い。
【００１３】
また、上記したゴミ排除用体２と取付け具１との接続部分には、図面に於いては省略してあるが、これが倒された状態から元状に復帰すための既存の復元バネ機構を組み込むことに依り、元状復帰機能が付与されているものとする。  そして、当該復元バネ機構に関する制限性は無く、通常の復元機能を有するものであれば如何なる形態のものであっても可とする。
【００１４】
図２に示す状態にあって、木の枝、木の葉、海藻、ビニール片等、比較的大きなゴミがゴミ排除用体２に引っかかった際、この部分に当たる水流の圧力が増加し、この圧力に基づきゴミ排除用体２が図３に示す状態、並びに図４の鎖線で示す状態に首振り的な屈折をなすこととなる。  この状態にあっては付着したゴミは水流とほぼ平行するような状態に転動されたこととなり、従って、水流の圧力は上記ゴミを引き剥がす力として作用することとなり、ゴミは自然に引き剥がされることとなる。  そして、引き剥がされた後は、ゴミ除去用網体２の倒伏状態の角度に基づき、これに沿う水流の方向に引き剥がされて流れるため、カバーＭを避けてその外側に移動させるような案内が成されることとなる。  従って、当該ゴミがカバーＭに被さって水車の機能不良を来してしまうような事態発生を未然に回避させることとなる。
【図４】
2015218649.tif 000003
【図１】
2015218649.tif 000004
【図２】
2015218649.tif 000005
【図３】
2015218649.tif 000006